(57)【要約】【課題】乗りかご内に換気スペースを設けつつかご内の騒音を低減する。【解決手段】換気スペースを設けたエレベーター装置であって、乗りかご内の騒音を検出するマイクと、音響を発生させるスピーカーと、前記マイクにより前記エレベーター装置の昇降路から乗りかご内に入る騒音を検出させ、前記マイクにより検出された騒音と逆位相の音響をスピーカーから発生させる制御装置と、を備えることを特徴とする、エレベーター装置。【選択図】図１
2015155339.tif 000002
【特許請求の範囲】
【請求項１】
換気スペースを設けたエレベーター装置であって、
乗りかご内の騒音を検出するマイクと、
音響を発生させるスピーカーと、
前記マイクにより前記エレベーター装置の昇降路から乗りかご内に入る騒音を検出させ、前記マイクにより検出された騒音と逆位相の音響をスピーカーから発生させる制御装置と、
を備えることを特徴とする、エレベーター装置。
【請求項２】
前記マイク及びスピーカーは、前記乗りかごの側面及び／または背面に複数設置され、
前記制御装置は、
前記複数のマイクにより前記エレベーター装置の昇降路から乗りかご内に入る騒音を検出させ、前記複数のマイクにより検出された騒音と逆位相の音響を前記複数のスピーカーから発生させる
ことを特徴とする、請求項１に記載のエレベーター装置。
【請求項３】
前記エレベーター装置の昇降路に面した側板にカバーを設置し、前記マイクで検出される騒音の進入通路をラビリンス構造とする
ことを特徴とする、請求項１に記載のエレベーター装置。
【請求項４】
換気スペースを設けたエレベーター装置における騒音低減方法であって、
エレベーター装置には、乗りかご内の騒音を検出するマイクと、音響を発生させるスピーカーとが備えられ、
前記マイクにより前記エレベーター装置の昇降路から乗りかご内に入る騒音を検出するステップと、
前記マイクにより検出された騒音と逆位相の音響をスピーカーから発生させるステップと、
を含むことを特徴とする、騒音低減方法。
【発明の詳細な説明】
【技術分野】
【０００１】
本発明は、エレベーター装置及び騒音低減方法に関し、かご内の換気を確保しながら騒音を低減するエレベーター装置及び騒音低減方法に適用して好適なるものである。
【背景技術】
【０００２】
従来、海外規格のエレベーター装置については乗りかご内の換気要求があり、乗りかご内に換気スペースを設ける必要があった。一方、近年では、超高速エレベーターや単独昇降路に設置するエレベーター装置において、かご内の騒音低減が求められている。
【０００３】
そこで、かご内の騒音を低減するため、例えば特許文献１では、乗りかご枠を外殻形状に形成し乗りかごを覆い、かご枠との間に消音空間を設け、騒音を検出して、その騒音を昇温する音響を発生することが開示されている。
【先行技術文献】
【特許文献】
【０００４】
【特許文献１】特開平５−７８０６５号公報
【発明の概要】
【発明が解決しようとする課題】
【０００５】
しかし、上記特許文献１では、乗りかご内へ伝播する騒音を低減することができるが、乗りかごと乗りかご枠の間に外殻形状を形成し消音空間を作る必要がある為、乗りかごに換気スペースを設けることができず、海外規格等の乗りかご内の換気要求に対応できないという問題があった。
【０００６】
本発明は以上の点を考慮してなされたもので、乗りかご内に換気スペースを設けつつかご内の騒音を低減することが可能なエレベーター装置及び騒音低減方法を提案しようとするものである。
【課題を解決するための手段】
【０００７】
かかる課題を解決するために本発明においては、換気スペースを設けたエレベーター装置であって、乗りかご内の騒音を検出するマイクと、音響を発生させるスピーカーと、前記マイクにより前記エレベーター装置の昇降路から乗りかご内に入る騒音を検出させ、前記マイクにより検出された騒音と逆位相の音響をスピーカーから発生させる制御装置と、を備えることを特徴とする、エレベーター装置が提供される。
【０００８】
かかる構成によれば、エレベーター装置の乗りかご内の換気スペースから入る騒音を検出して、検出した騒音と逆位相の音響を乗りかご内に発生させることができる。これにより、乗りかご内に換気スペースを設けながら、かご内の騒音を低減することができる。
【発明の効果】
【０００９】
本発明によれば、乗りかご内に換気スペースを設けつつかご内の騒音を低減することができる。
【図面の簡単な説明】
【００１０】
【図１】本発明の一実施形態に係るエレベーター装置の全体構成を示す概念図である。
【図２】同実施形態にかかる乗りかごの概略構造を示す説明図である。
【図３】同実施形態にかかる乗りかご上部の換気スペースの概略構造を示す説明図である。
【図４】同実施形態にかかる乗りかご下部の換気スペースの概略構造を示す説明図である。
【図５】同実施形態にかかる乗りかご上部及び下部のマイク及びスピーカーの設置位置を示す説明図である。
【発明を実施するための形態】
【００１１】
以下図面について、本発明の一実施の形態を詳述する。
【００１２】
まず、図１を参照して、本実施形態のエレベーター装置について説明する。図１に示すように、エレベーター装置の乗りかご２の上部と下部に換気スペースが設けられている。換気スペースには、スピーカー７とマイク４が設置されている。
【００１３】
マイク４は、後述する制御装置５の制御のもと、エレベーター装置の昇降路から乗りかご２内に入る騒音３を検出する。また、スピーカー７は、制御装置５の制御のもと、マイク４で検出された騒音と逆位相の音響を発生させる。
【００１４】
また、乗りかご２の天井部１０には、制御装置５と器具ＢＯＸ６が設置されている。制御装置５は、マイク４で検出された音を逆位相の信号に変換し、スピーカー７から変換した逆位相の信号に対応する音響を発生させる機能を有する。マイク４とスピーカー７は制御装置５とケーブルで接続される。
【００１５】
制御装置５は、エレベーター装置の乗りかご上に設置している器具ＢＯＸ６から電源をとって、常時、エレベーター装置の乗りかご２内に換気スペースから入ってくる騒音３を検出して、スピーカー７から逆位相の音響を乗りかご２内に発生させ続ける装置である。
【００１６】
また、図３に示すように、乗りかご２の換気スペースには、乗りかご２上部の天井部１０と、かご側板部の側面側板８とに数か所の換気用ジスピ１１が設けられている。また、乗りかご２上部の天井部１０と、かご背面部の背面側板９とに数か所の換気用ジスピ１１が設けられている。
【００１７】
また、図４に示すように、乗りかご２下部には、かご床幅木部１３と、かご側板部の側面側板８と数箇所の換気用ジスピ１１が設けられている。また、かご床幅木部１３と、かご背面部の背面側板９とに数箇所の換気用ジスピ１１が設けられている。
【００１８】
昇降路に面している側板にはカバー１２を設置し、必要な換気スペースを確保しながらも、騒音３の進入通路をラビリンス構造としている。これにより、騒音３が侵入する方向を制限し、マイク４により騒音が検出しやすい構造となっている。
【００１９】
また、乗りかご２内の前側、中央側、後側で騒音は異なる為、乗りかご２の側面のかご下に数箇所、乗りかご２の側面のかご上に数箇所、背面のかご下に数箇所、背面のかご上に数箇所マイク及びスピーカーを設置し、個々に騒音を検出し、逆位相の音響を発生させてもよい。
【００２０】
例えば、図５に示すように、乗りかご２上部（断面ＤＤ）の側面及び背面にそれぞれ複数のマイク及びスピーカーを設置してもよいし、乗りかご２下部（断面ＥＥ）の側面及び背面にそれぞれ複数のマイク及びスピーカーを設置してもよい。これにより、乗りかご２内のいずれの位置でも、騒音低減の効果を得ることができる。
【００２１】
また、乗りかご２上部及び下部のいずれかまたは両方に複数のマイク及びスピーカーを設置してもよい。また、エレベーター装置のサイズに応じてマイク及びスピーカーの設置数を変更してもよい。例えば、エレベーター装置の奥行が長い場合や、天井が高い場合には、より多くのマイクやスピーカーを設置するようにしてもよい。また、乗りかごの形状に応じてマイクやスピーカーの設置数や設置位置、または設置間隔などを変更してもよい。
【００２２】
また、本実施の形態では、常時マイクで騒音を検出して、検出した騒音の逆位相の音響をスピーカーから発生するようにしているが、予め定められた定格速度でマイクにより騒音を検出して、スピーカーから逆位相の音響を発生させるようにしてもよい。
【００２３】
また、乗りかご２内に乗客１が乗車している場合にのみ、スピーカーから逆位相の音響を発生させるようにしてもよい。また、検出された騒音が所定の大きさ以上である場合にのみ、スピーカーから逆位相の音響を発生させるようにしてもよい。これにより、無駄にスピーカーから音響を発生させることなく、効率よくかご内の騒音を低減させることができる。
【００２４】
また、換気スペースに設置する騒音検出用のマイク４は、乗りかご２に対して外向き（昇降路向き）に設置し、逆位相の音響を発生させるスピーカー７は乗りかごの内側に向ける構造とする。これにより、より効果的に騒音を検出して、検出した騒音に応じた音響を発生させることができる。
【００２５】
また、スピーカー７は、かご側板で換気部を覆う構造にして、スピーカー７を乗りかご２内の乗客１からは視認できないようにする。これにより、乗客１によるスピーカー７へのいたずら等を防止することができる。また、乗りかご２の天井部１０のスピーカー７についても、照明器具や天井の装飾１４などにより、乗りかご２内の乗客１からは直接スピーカー７を視認できないようにして、いたずらを防止している。
【符号の説明】
【００２６】
２    乗りかご
４    マイク
５    制御装置
６    電源
７    スピーカー
８    側面側板
９    背面側板
１０  乗りかご天井
１１  換気用ジスピ
１２  側板裏面カバー
１３  かご床幅木
１４  天井照明器具、装飾品
【図１】
2015155339.tif 000003
【図２】
2015155339.tif 000004
【図３】
2015155339.tif 000005
【図４】
2015155339.tif 000006
【図５】
2015155339.tif 000007